(57)【要約】【課題】  電子の中の軌道エネルギーはどのようになっているのか。【解決手段】  電子の中の軌道とその軌道に存在する電気の光子（Ｘ線）の数は、特性Ｘ線の波長と強度比から知る事ができる。特性Ｘ線の波長の１／２は軌道で、強度比はＸ線の数の比を示す。Ｌ系α１とα２の強度比は１００：１０である。どれ位の軌道差で個数は１／１０になるのか。どれ位の軌道差で、エネルギーは１／１０になるのか。それが解ると、電子の中の軌道エネルギーが理解できる。【選択図】  図１
2005269895.tif 000002
【特許請求の範囲】
【請求項１】
電子の中で、電子のラブの軌道エネルギーの式と、電気の光子の軌道エネルギーの式と、磁気の光子の軌道エネルギーの式はどれだけか。（電子の中で、電気の光子は１０８個集まってＸ線１個になっている。磁気の光子は１０１６個集まって束になっている。その軌道エネルギーの式はどれだけか。）
電子のラブの軌道エネルギーの式は、
１０−２５Ｊ・ｍ÷軌道又はエネルギー  です。
電子のラブはこの軌道を１公転し８×１０−３８Ｊの電気の光子を作る。
１公転し１０８個の電気の光子ができる。
電子の中では、この電気の光子１０８個が束になって１個のＸ線になる。
それで、１公転し、１０８×８×１０−３８Ｊ＝８×１０−３０ＪのＸ線ができる。
電子の中では、電気の光子が１０８個束になって１個のＸ線になり、電気の光子の軌道を回転しているので、電気の光子の軌道エネルギーは、電気の光子１０８個の軌道エネルギーです。
よって、電子の中の、電気の光子１０８個（＝１個のＸ線）の軌道エネルギーの式は、
１０−３３Ｊ・ｍ×１０８÷軌道又はエネルギー＝１０−２５Ｊ・ｍ÷軌道又はエネルギー  です。
電子のラブは１自転し、１０−５３Ｊの磁気の光子を作る。
電子の中で、磁気の光子は１０１６個束になって１０−３７Ｊの磁気の光子になり、磁気の光子の軌道を回転しているので、磁気の光子の軌道エネルギーは、磁気の光子１０１６個の軌道エネルギーです。
１０−４１Ｊ・ｍ÷軌道又はエネルギーの式は、磁気の光子１０８個の軌道エネルギーの式ですから、電子の中の、磁気の光子１０１６個の軌道エネルギーの式は、
１０−４１Ｊ・ｍ×１０８÷軌道又はエネルギー＝１０−３３Ｊ・ｍ÷軌道又はエネルギー  です。
電子の中で、電気の光子は１０８個束になり、Ｘ線１個と成って、電気の光子の軌道を回転している。
磁気の光子は１０１６個束になり、磁気の光子の軌道を回転している。電気の光子の軌道をクロス回転している。
【請求項２】
どうして、電気の光子１０８個の軌道エネルギーの式が、１０−２５Ｊ・ｍ÷軌道又はエネルギー  となるか。プランク定数から導き出す。
Ｅ＝ｈ×振動数。振動数＝１秒間の振動数＝光速÷波長。
本発明者は、Ｅ＝定数÷軌道＝定数÷（波長÷２）として考えてきました。
それで、Ｅ＝定数÷（波長÷２）＝ｈ×光速÷波長
定数＝ｈ×光速÷２＝６．６２５×１０−３４Ｊ×３×１０８ｍ÷２＝９．９３７５×１０−２６Ｊ・ｍ≒１０−２５Ｊ・ｍ
定数は１０−２５Ｊ・ｍです。
よって、電気の光子１０８個（＝Ｘ線１個）の軌道エネルギーの式はＥ＝ｈ×振動数と同じことです。
Ｅ＝ｈ×振動数  のＥ＝エネルギーは電気の光子１０８個のエネルギーです。振動数は電気の光子の振動数です。ｈは電気の光子１０８個に対する定数です。
【請求項３】
電気の光子１０８個（Ｘ線）の軌道エネルギーと電気の光子１０８個の数。
電気の光子が回転する軌道のエネルギーを式により算出し、このエネルギーは１秒間に、１０８個集まってできた８×１０−３０Ｊの電気の光子（Ｘ線）が何個分のエネルギーであるかを算出する。
例えば、１０−１２ｍの軌道では、軌道エネルギーは、
１０−２５Ｊ・ｍ÷１０−１２ｍ＝１０−１３Ｊです。
１０−１３Ｊは８×１０−３０Ｊの電気の光子が何個分か。
１０−１３Ｊ÷（８×１０−３０Ｊ）＝１．２５×１０１６個分です。
１０−１２ｍでは、１．２５×１０１６個分です。
１０−１１ｍでは、１．２５×１０１５個分です。
１０−１０ｍでは、１．２５×１０１４個分です。
１０−９ｍでは、１．２５×１０１３個分です。
１０−８ｍでは、１．２５×１０１２個分です。
電子の中では、実際このようになってはいない。
実際の、軌道と軌道に於けるＸ線の数は、特性Ｘ線の波長とＸ線の強度です。
それを、「請求項６」「請求項７」「請求項８」「請求項９」に記す。
【請求項４】
磁気の光子１０１６個の軌道エネルギーと磁気の光子１０１６個の数。
磁気の光子が回転する軌道のエネルギーを式により算出し、このエネルギーは１秒間に、１０１６個集まってできた１０−３７Ｊの磁気の光子が何個分のエネルギーであるかを算出する。
例えば、１０−１２ｍの軌道では、軌道エネルギーは、
１０−３３Ｊ・ｍ÷１０−１２ｍ＝１０−２１Ｊです。
１０−２１Ｊは１０−３７Ｊの磁気の光子が何個分か。
１０−２１Ｊ÷１０−３７Ｊ＝１０１６個分です。
１０−１２ｍでは、１０１６個分です。
１０−１１ｍでは、１０１５個分です。
１０−１０ｍでは、１０１４個分です。
１０−９ｍでは、１０１３個分です。
１０−８ｍでは、１０１２個分です。
電子の中では、実際このようになってはいない。
実際どのようになっているのかは、軌道と軌道に於ける磁気の光子の数は、特性Ｘ線の軌道と強度に順ずる。即ち、電気の光子（Ｘ線）の軌道と数に同じです。
【請求項５】
電子の中で、各々の軌道に於いて、１秒間に、Ｘ線は何回転するか。１秒間に１０１６個の磁気の光子は何回転するか。
本発明者は、２００４年１２月２１日提出した特願２００４−３８２７４３において、
電子のラブの１秒間の公転速度は３．９２５×１０４ｍである事を理解できた。
それで、電子の中で、光子たちは、秒速３．９２５×１０４ｍで回転する。
電子の中の光速を３．９２５×１０４ｍとする。
電気の光子の場合。
１０−１２ｍの軌道では、１秒間に何回転するか。
３．９２５×１０４ｍ÷（３．１４×１０−１２ｍ）＝１．２５×１０１６回回転する。
「請求項３」で、１０−１２ｍの軌道エネルギーは、１秒間に、８×１０−３０Ｊの電気の光子（Ｘ線）が１．２５×１０１６個分である事が理解できた。
それで、１０−１２ｍの軌道を１回転するとき、１個のＸ線がそこに存在します。
これは、電子のラブが１回公転し、１個のＸ線を作るからです。
磁気の光子の場合。
磁気の光子は１秒間に何回自転するか。
電子のラブの自転軌道は１０−２８ｍですから、１秒間に、
３．９２５×１０４ｍ÷（３．１４×１０−２８ｍ）＝１．２５×１０３２回回転する。
「請求項４」で、１０−１２ｍの軌道エネルギーは、１秒間に、１０１６の磁気の光子が１０１６個分である事が理解できた。
１０１６個×１０１６個＝１０３２個
１０−１２ｍの軌道には、１秒間にできた１０１６個×１０１６個＝１０３２個の磁気の光子が存在する。
１０−１２ｍの軌道は、１秒間に１．２５×１０１６回回転する。
そして、１秒間に１０１６個の磁気の光子が１０１６個存在するから、１回転では約１０１６個の磁気の光子が１個存在する。
１０８個の電気の光子と１０１６個の磁気の光子は、
１０−１２ｍでは、１秒間に１．２５×１０１６回回転する。
１０−１１ｍでは、１秒間に１．２５×１０１５回回転する。
１０−１０ｍでは、１秒間に１．２５×１０１４回回転する。
１０−９ｍでは、１秒間に１．２５×１０１３回回転する。
１０−８ｍでは、１秒間に１．２５×１０１２回回転する。
【請求項６】
実際、電子の中で、１０８個の電気の光子（Ｘ線）はどのようになっているか。
「特性Ｘ線の波長」によって、放出した電気の光子の軌道がわかる。
「特性Ｘ線とその近似的強度比」によって、放出したＸ線の数の比がわかる。
軌道は波長÷２です。
Ｘ線の個数の比は、Ｌ系α１はα２の１０倍です。
このことによって、Ｘ線の軌道と軌道エネルギーの比が理解できる。
例えば、Ｚｒ（４０）の場合。
Ｌ系α１は０．６０７０×１０−９ｍで、軌道は０．３０３５×１０−９ｍです。
α２は０．６０７７×１０−９ｍで、軌道は０．３０３８５×１０−９ｍです。
この軌道差は、０．３０３８５×１０−９ｍ−０．３０３５×１０−９ｍ＝３．５×１０−１３ｍです。
軌道が３．５×１０−１３ｍ大きくなると、エネルギーは１／１０になる。
０．３０３５×１０−９ｍのＸ線の軌道エネルギーは、
１０−２５Ｊ・ｍ÷（０．３０３５×１０−９ｍ）＝３．２９４８９２９×１０−１６Ｊです。
０．３０３８５×１０−９ｍのＸ線の軌道エネルギーは、
１０−２５Ｊ・ｍ÷（０．３０３８５×１０−９ｍ）＝３．２９１０９７５×１０−１６Ｊです。
このエネルギーの差は、
３．２９４８９２９×１０−１６Ｊ−３．２９１０９７５×１０−１６Ｊ＝０．００３７９５４×１０−１６Ｊです。
このエネルギー差はα１のエネルギーの
０．００３７９５４×１０−１６Ｊ÷（３．２９４８９２９×１０−１６Ｊ）＝０．００１１５１９倍です。
それで、α１とα２のエネルギーはほぼ同じであるとみなすことができる。（軌道がほぼ同じだから同じエネルギーであるとみなすことができる。）
よって、α１とα２の強度比はＸ線の個数の比であるとみなすことができる。
次にα２とα１の軌道差を示す。
2005269895.tif 000006
軌道が約５×１０−１３ｍの違いで、エネルギーは１／１０になる。Ｘ線の個数は１／１０になる。
【請求項７】
実際、電子の中で、電気の光子１０８個（Ｘ線）の軌道に於ける電気の光子１０８個（Ｘ線）の数はどれくらいか。
軌道は約５×１０−１３ｍの違い（差）で、エネルギーは１／１０になる。Ｘ線は１／１０個になる。
１０−１２ｍの軌道で、１秒間に回転するＸ線の数は１．２５×１０１６個です。
１０−１１ｍでは何個か。
１÷｛軌道差÷（５×１０−１３ｍ）×１０｝倍です。
１０−１１ｍでは何個か。
１．２５×１０１６個×１÷｛（１０−１１ｍ−１０−１２ｍ）÷（５×１０−１３ｍ）×１０｝＝１．２５×１０１６個×１÷｛（１０−１１＋１３）−（１０−１２＋１３）｝÷２＝０．６２５×１０１６個÷（１００−１０）＝６．９４４×１０１３個です。
１０−１０ｍでは何個か。
６．９４４×１０１３個×１÷｛（１０−１０ｍ−１０−１１ｍ）÷（５×１０−１３ｍ）×１０｝＝６．９４４×１０１３個×１÷２｛（１０−１０＋１３）−（１０−１１＋１３）｝＝３．４７２×１０１３個÷（１０００−１００）＝３．８５７７×１０１０個です。
１０−９ｍでは何個か。
３．８５７７×１０１０個×１÷｛（１０−９ｍ−１０−１０ｍ）÷（５×１０−１３ｍ）×１０｝＝３．８５７７×１０１０個×１÷２｛（１０−９＋１３）−（１０−１０＋１３）｝＝１．９２８８５×１０１０個÷（１００００−１０００）＝２．１４３×１０６個です。
１０−８ｍでは何個か。
２．１４３×１０６個×１÷｛（１０−８ｍ−１０−９ｍ）÷（５×１０−１３ｍ）×１０｝＝２．１４３×１０６個×１÷２｛（１０−８＋１３ｍ）−（１０−９＋１３）｝＝１．０７１５×１０６個÷（１０００００−１００００）＝１１．９個です。
【請求項８】
実際、電子の中において、電気の光子の軌道エネルギーはどれ位か。
電子の中で、
１０−１２ｍの軌道では、１秒間に、Ｘ線は１．２５×１０１６個です。
１０−１１ｍの軌道では、１秒間に、Ｘ線は６．９４４×１０１３個です。
１０−１０ｍの軌道では、１秒間に、Ｘ線は３．８５７７×１０１０個です。
１０−９ｍの軌道では、１秒間に、Ｘ線は２．１４３×１０６個です。
１０−８ｍの軌道では、１秒間に、Ｘ線は１１．９個です。
それで、電子の中の、Ｘ線１個は８×１０−３０Ｊですから、軌道エネルギーは、
１０−１２ｍの軌道では、１．２５×１０１６個×８×１０−３０Ｊ＝１０−１３Ｊです。
１．２５×１０−１２ｍの軌道では、１０１６個×８×１０−３０Ｊ＝８×１０−１４Ｊです。
１０−１１ｍの軌道では、６．９４４×１０１３個×８×１０−３０Ｊ＝５．５５５×１０−１６Ｊです。
１０−１０ｍの軌道では、３．８５７７×１０１０個×８×１０−３０Ｊ＝３．０８６×１０−１９Ｊです。
１０−９ｍの軌道では、２．１４３×１０６個×８×１０−３０Ｊ＝１．７１４×１０−２３Ｊです。
１０ｍ−８の軌道では、１１．９個×８×１０−３０Ｊ＝９．５２×１０−２９Ｊです。
2005269895.tif 000007
電子の中で、電気の光子の軌道エネルギーは、電子のラブの公転から離れる程、外側になる程、電気の光子の数は減少し、軌道エネルギーは小さくなる。
【請求項９】
実際、電子の中において、磁気の光子の軌道エネルギーはどれ位か。
「請求項３」と「請求項４」から、同じ軌道では、１０１６個の磁気の光子の数と１０８個の電気の光子の数はほぼ同じである。
電子の中で、
１０−１２ｍの軌道では、１秒間に、１０１６個の磁気の光子は１．２５×１０１６個です。
１０−１１ｍの軌道では、１秒間に、１０１６個の磁気の光子は６．９４４×１０１３個です。
１０−１０ｍの軌道では、１秒間に、１０１６個の磁気の光子は３．８５７７×１０１０個です。
１０−９ｍの軌道では、１秒間に、１０１６個の磁気の光子は２．１４３×１０６個です。
１０−８ｍの軌道では、１秒間に、１０１６個の磁気の光子は１１．９個です。
それで、電子の中の、１０１６個の磁気の光子は１０−３７Ｊですから、磁気の光子の軌道エネルギーは、
１０−１２ｍの軌道では、１．２５×１０１６個×１０−３７Ｊ＝１．２５×１０−２１Ｊです。
１０−１１ｍの軌道では、６．９４４×１０１３個×１０−３７Ｊ＝６．９４４×１０−２４Ｊです。
１０−１０ｍの軌道では、３．８５７７×１０１０個×１０−３７Ｊ＝３．８５７７×１０−２７Ｊです。
１０−９ｍの軌道では、２．１４３×１０６個×１０−３７Ｊ＝２．１４３×１０−３１Ｊです。
１０ｍ−８の軌道では、１１．９個×１０−３７Ｊ＝１．１９×１０−３６Ｊです。
2005269895.tif 000008
電子の中で、磁気の光子の軌道が大きくなる程、磁気の光子の数は減少し、軌道エネルギーは小さくなる。
【請求項１０】
電子のラブが外側の殻から内側の殻へ移動するとき光子が放出する。この光子はどのような光子か。
１個の、電子のラブは外側の軌道の光子を放出し、より小さなものとなって内側の殻へ移動します。
例えば、１０ｎｍの殻から１つ内側の殻へ移動する場合。
１０ｎｍの殻にいるとき、電子のラブの外側の光子は１０−１０ｍです。
この１０−１０ｍの光子を放出して、電子のラブは１つ内側の殻へ移動します。
放出した１０−１０ｍの軌道の光子は、１秒間に８×１０−３０Ｊの電気の光子（Ｘ線）が３．８５７７×１０１０個と、１０−３７Ｊの磁気の光子が３．８５７７×１０１０個放出します
１秒間に放出する光子のエネルギーはどれくらいか。
８×１０−３０Ｊの電気の光子が３．８５７７×１０１０個ですから、
放出する電気の光子のエネルギーは、８×１０−３０Ｊ×３．８５７７×１０１０個＝３．０８６×１０−１９Ｊです。
１０−３７Ｊの磁気の光子が３．８５７７×１０１０個ですから、
放出する磁気の光子のエネルギーは、１０−３７Ｊ×３．８５７７×１０１０個＝３．８５７７×１０−２７Ｊです。
【請求項１１】
１個の電気の光子の軌道エネルギーの式はどれ位か。
１０８個の電気の光子の軌道エネルギーの式は、１０−２５Ｊ・ｍ÷軌道又はエネルギー  ですから、
１個の電気の光子の軌道エネルギーの式は、
１０−２５Ｊ・ｍ÷１０８÷軌道又はエネルギー＝１０−３３Ｊ・ｍ÷軌道又はエネルギー  です。
【請求項１２】
１個の磁気の光子の軌道エネルギーの式はどれ位か。
１０１６個の磁気の光子の軌道エネルギーの式は、１０−３３Ｊ・  ｍ÷軌道又はエネルギー  ですから、
１個の磁気の光子の軌道エネルギーの式は、
１０−３３Ｊ・ｍ÷１０１６÷軌道又はエネルギー＝１０−４９Ｊ・ｍ÷軌道又はエネルギー  です。
【請求項１３】
電子のラブが１公転してできる電気の光子１０８個（Ｘ線）の８×１０−３０Ｊの軌道はどれだけか。電気の光子１個の８×１０−３８Ｊの軌道はどれだけか。
電気の光子８×１０−３８Ｊの軌道と、それが１０８個集まった電気の光子（Ｘ線）８×１０−３０Ｊの軌道は同じです。
それは、電子のラブが１公転してできる電気の光子であるからです。
電気の光子は１秒間にどれだけできるか。
１回転で電気の光子は８×１０−３０Ｊできる。
電子のラブの公転速度は３．９２５×１０４ｍですから、１秒間に何回公転するか。
３．９２５×１０４ｍ÷（３．１４×１．２５×１０−１２ｍ）＝１０１６回公転する。
それで、電気の光子は１秒間に、
１０１６回転×８×１０−３０Ｊ＝８×１０−１４Ｊできます。
この軌道は、
電気の光子１０８個（Ｘ線）の軌道エネルギー式は、１０−２５Ｊ・ｍ÷軌道又はエネルギーですから、
１０−２５Ｊ・ｍ÷（８×１０−１４Ｊ）＝１．２５×１０−１２ｍです。
電気の光子１０８個（Ｘ線）の８×１０−３０Ｊの軌道は１．２５×１０−１２ｍです。
電気の光子１個である８×１０−３８Ｊの軌道は１．２５×１０−１２ｍです。
この事は次のように考えます。
１秒間のエネルギーは、
１０１６回転×８×１０−３８Ｊ＝８×１０−２２Ｊです。
この軌道は、
電気の光子１個の軌道エネルギーの式は、１０−３３Ｊ・ｍ÷軌道又はエネルギーですから、
１０−３３Ｊ・ｍ÷（８×１０−２２Ｊ）＝１．２５×１０−１２ｍです。
【請求項１４】
磁気の光子１０−５３Ｊの磁気の光子の軌道はどれ位か。磁気の光子が１０１６個集まった１０−３７Ｊの磁気の光子の軌道はどれくらいか。
電子のラブの自転によってできる磁気の光子のエネルギーは、電子のラブの公転によってできる電気の光子のエネルギーの１０８分の１です。
磁気の光子は１秒間に、８×１０−１４Ｊ÷１０８＝８×１０−２２Ｊできる。
磁気の光子の軌道は、
１０−４９Ｊ・ｍ÷（８×１０−２２Ｊ）＝１．２５×１０−２８ｍです。
電子の中で、磁気の光子は１０１６個束になっているので、磁気の光子１個の軌道と、磁気の光子１０１６個の軌道は同じです。
磁気の光子１個のエネルギーは１０−５３Ｊです。
磁気の光子の軌道は１．２５×１０−２８ｍですから、１秒間で何回転するか。
３．９２５×１０４ｍ÷（３．１４×１．２５×１０−２８ｍ）＝１０３２回転する。
１回の自転でできる磁気の光子のエネルギーは１０−５３Ｊですから、１秒間にできるエネルギーは、
１０３２回転×１０−５３Ｊ＝１０−２１Ｊです。
この軌道は、
１０−４９Ｊ・ｍ÷１０−２１Ｊ＝１０−２８ｍです。
磁気の光子１０１６個のエネルギーは、１０−３７Ｊです。
１秒間にできるエネルギーは、
１０−３７Ｊ×１０３２回＝１０−５Ｊです。
この軌道は、
１０−３３Ｊ・ｍ÷１０−５Ｊ＝１０−２８ｍです。
磁気の光子１０１６個の軌道と、磁気の光子１個の軌道は同じ大きさで、１０−２８ｍです。
【請求項１５】
電子のラブの公転軌道エネルギーの式はどのようであるか。
電子のラブの公転軌道エネルギーの式は、１０−２５Ｊ・ｍ÷エネルギー軌道又はエネルギーです。
それで、電気の光子が８×１０−１４Ｊできる電子のラブの軌道は、
１０−２５Ｊ・ｍ÷（８×１０−１４Ｊ）＝１．２５×１０−１２ｍです。
【請求項１６】
電子のラブの自転軌道エネルギーの式はどのようであるか。
電子のラブの自転によってできる磁気の光子のエネルギーは、電子のラブの公転によってできる電気の光子のエネルギーの１０８分の１です。
磁気の光子は１秒間に、８×１０−１４Ｊ÷１０８＝８×１０−２２Ｊできる。
磁気の光子の軌道は、
１０−４９Ｊ・ｍ÷（８×１０−２２Ｊ）＝１．２５×１０−２８ｍです。
電子のラブの自転の軌道は、
１０−４９Ｊ・ｍ÷（８×１０−２２Ｊ）＝１．２５×１０−２８ｍです。
電子のラブの自転の軌道エネルギーの式は、
１０−４９Ｊ・ｍ÷軌道又はエネルギー  です。
この事は、電子のラブの自転エネルギーの式と磁気の光子の軌道エネルギーの式と同じであるということです。
この事は、電子のラブの自転する回転方向は公転に対し垂直に自転している。
磁気の光子と同じ軌道を自転していることを示す。
電気の光子の回転方向と逆方向に自転している。
【請求項１７】
可視光の電気の光子１０８個のエネルギーはどれ位か。可視光の磁気の光子１０１６個のエネルギーはどれ位か。
可視光の波長は約３×１０−７ｍから７×１０−７ｍです。軌道は１．５×１０−７ｍから３．５×１０−７ｍです。
可視光はＸ線と同じように、電気の光子が１０８個束になったものです。磁気の光子が１０１６個束になったものです。
そして、可視光線は物にぶつかった後、束は分散し、１個の電気の光子、１個の磁気の光子になります。
１．５×１０−７ｍの電気の光子１０８個のエネルギーは、
１０−２５Ｊ・ｍ÷（１．５×１０−７ｍ）＝６．６７×１０−１９Ｊです。
１．５×１０−７ｍの電気の光子１個のエネルギーは、
１０−３３Ｊ・ｍ÷（１．５×１０−７ｍ）＝６．６７×１０−２７Ｊです。
３×１０−７ｍの電気の光子１０８個のエネルギーは、
１０−２５Ｊ・ｍ÷（３．５×１０−７ｍ）＝２．８６×１０−１９Ｊです。
３×１０−７ｍの電気の光子１個のエネルギーは、
１０−３３Ｊ・ｍ÷（３．５×１０−７ｍ）＝２．８６×１０−２７Ｊです。
１．５×１０−７ｍの磁気の光子１０１６個のエネルギーは、
１０−３３Ｊ・ｍ÷（１．５×１０−７ｍ）＝６．６７×１０−２７Ｊです。
１．５×１０−７ｍの磁気の光子１個のエネルギーは、
１０−４９Ｊ・ｍ÷（１．５×１０−７ｍ）＝６．６７×１０−４３Ｊです。
３．５×１０−７ｍの磁気の光子１０１６個のエネルギーは、
１０−３３Ｊ・ｍ÷（３．５×１０−７ｍ）＝２．８６×１０−２７Ｊです。
３．５×１０−７ｍの磁気の光子１個のエネルギーは、
１０−４９Ｊ・ｍ÷（３．５×１０−７ｍ）＝２．８６×１０−４３Ｊです。
【請求項１８】
宇宙における電子のラブが１公転する事によってできる電気の光子１個のエネルギーと１０８個のエネルギー。電気の光子の軌道エネルギーの式はどのようであるか。宇宙の軌道における電子のラブが１自転することによってできる磁気の光子１個のエネルギーと１０１６個の磁気の光子のエネルギー。磁気の光子の軌道エネルギーの式はどのようであるか。
光子のエネルギーは、５Ｋ＝５×１．１２×１０９ｍ走ると１／１０に成ります。このことについて、本発明者は、特願２００４−２４７５７４に記しました。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子１個の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
電気の光子１０８個の軌道エネルギーの式は、
Ａｍ÷（５×１．１２×１０９ｍ）×１０×１０−２５Ｊ・ｍ÷軌道又はエネルギー＝Ａ×１．７８６×１０−３４Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
磁気の光子１０１６個のネルギーは、
Ａ×１．７８６×１０−６２Ｊ×１０１６＝Ａ×１．７８６×１０−４６Ｊです。
磁気の光子１０１６個の軌道エネルギーの式は、
Ａｍ÷（５×１．１２×１０９ｍ）×１０×１０−３３Ｊ・ｍ÷軌道又はエネルギー＝Ａ×１．７８６ｘ１０−４２Ｊ・ｍ÷軌道又はエネルギー  です。
【発明の詳細な説明】
【技術分野】
【０００１】  この発明は電子の中の軌道がどのようになっているかに関する。
【背景技術】
【０００２】  従来、電子の中にはＸ線や特性Ｘ線が存在している。
このＸ線がどのようになっているのか、電子の中の軌道エネルギーについては知られていない。
【本発明が解決しようとする課題】
【０００３】１．電子の中で、電子のラブの軌道エネルギーの式と、電気の光子の軌道エネルギーの式と、磁気の光子の軌道エネルギーの式はどれだけか。（電子の中で、電気の光子は１０８個集まってＸ線１個になっている。磁気の光子は１０１６個集まって束になっている。その軌道エネルギーの式はどれだけか。）
２．どうして、電気の光子１０８個の軌道エネルギーの式が、１０−２５Ｊ・ｍ÷軌道又はエネルギー  となるか。プランク定数から導き出す。
３．電気の光子１０８個（Ｘ線）の軌道エネルギーと電気の光子１０８個の数。
４．磁気の光子１０１６個の軌道エネルギーと磁気の光子１０１６個の数。
５．電子の中で、各々の軌道に於いて、１秒間に、Ｘ線は何回転するか。１秒間に１０１６個の磁気の光子は何回転するか。
６．実際、電子の中で、１０８個の電気の光子（Ｘ線）はどのようになっているか。
７．実際、電子の中で、電気の光子１０８個（Ｘ線）の軌道に於ける電気の光子１０８個（Ｘ線）の数はどれくらいか。
８．実際、電子の中において、電気の光子の軌道エネルギーはどれ位か。
９．実際、電子の中において、磁気の光子の軌道エネルギーはどれ位か。
１０．電子のラブが外側の殻から内側の殻へ移動するとき光子が放出する。この光子はどのような光子か。
１１．１個の電気の光子の軌道エネルギーの式はどれ位か。
１２．１個の磁気の光子の軌道エネルギーの式はどれ位か。
１３．電子のラブが１公転してできる電気の光子１０８個（Ｘ線）の８×１０−３０Ｊの軌道はどれだけか。電気の光子１個の８×１０−３８Ｊの軌道はどれだけか。
１４．磁気の光子１０−５３Ｊの磁気の光子の軌道はどれ位か。磁気の光子が１０１６個集まった１０−３７Ｊの磁気の光子の軌道はどれくらいか。
１５．電子のラブの公転軌道エネルギーの式はどのようであるか。
１６．電子のラブの自転軌道エネルギーの式はどのようであるか。
１７．可視光の電気の光子１０８個のエネルギーはどれ位か。可視光の磁気の光子１０１６個のエネルギーはどれ位か。
１８．宇宙における電子のラブが１公転する事によってできる電気の光子１個のエネルギーと１０８個のエネルギー。電気の光子の軌道エネルギーの式はどのようであるか。
宇宙の軌道における電子のラブが１自転することによってできる磁気の光子１個のエネルギーと１０１６個の磁気の光子のエネルギー。磁気の光子の軌道エネルギーの式はどのようであるか。
【課題を解決するための手段】
【０００４】  本発明者は、２００５年２月７日に提出した特許願「電子の軌道」において、電子の中の電子の光子（＝Ｘ線）や磁気の光子がどのようにしてできるのかを記した。
しかし、Ｘ線は１０８個の電気の光子の束である。
それで、電子の中に於けるＸ線は電気の光子１０８個の束であり、その軌道エネルギーの式は、１０−２５Ｊ・ｍ÷軌道又はエネルギーであることを記す。
そして、電子の中の磁気の光子は１０１６個束になったものである。
１０１６個の磁気の光子の軌道エネルギーの式は、１０−３３Ｊ・ｍ÷軌道又はエネルギーであり、１個の磁気の光子の軌道エネルギーの式は、１０−４９Ｊ・ｍ÷軌道又はエネルギーである。と訂正する。
電子の中の軌道と、その軌道に存在するＸ線は、特性Ｘ線として知る事ができる。
それで、電子の中はどのようになっているかを、特性Ｘ線とその強度比から解明する。
Ｌ系α１とα２の強度比は１００：１０である。波長がほぼ同じであるから、軌道はほぼ同じであり、Ｘ線のエネルギーはほぼ同じである。
それで、１００：１０の強度比はＸ線の数の比である。
この事から、どれ位の軌道差で、Ｘ線の個数は１００：１０になるかを知る。
電子の中は、その割合で、軌道エネルギーが減少している。
約５×１０−１３ｍで、軌道エネルギーは１／１０になる。
このことによって、電子の中の軌道エネルギーを知る事ができる。
【発明の実施態様】
【０００５】１．電子の中で、電子のラブの軌道エネルギーの式と、電気の光子の軌道エネルギーの式と、磁気の光子の軌道エネルギーの式はどれだけか。（電子の中で、電気の光子は１０８個集まってＸ線１個になっている。磁気の光子は１０１６個集まって束になっている。その軌道エネルギーの式はどれだけか。）
電子のラブの軌道エネルギーの式は、
１０−２５Ｊ・ｍ÷軌道又はエネルギー  です。
電子のラブはこの軌道を１公転し８×１０−３８Ｊの電気の光子を作る。
１公転し１０８個の電気の光子ができる。
電子の中では、この電気の光子１０８個が束になって１個のＸ線になる。
それで、１公転し、１０８×８×１０−３８Ｊ＝８×１０−３０ＪのＸ線ができる。
電子の中では、電気の光子が１０８個束になって１個のＸ線になり、電気の光子の軌道を回転しているので、電気の光子の軌道エネルギーは、電気の光子１０８個の軌道エネルギーです。
よって、電子の中の、電気の光子１０８個（＝１個のＸ線）の軌道エネルギーの式は、
１０−３３Ｊ・ｍ×１０８÷軌道又はエネルギー＝１０−２５Ｊ・ｍ÷軌道又はエネルギー  です。
電子のラブは１自転し、１０−５３Ｊの磁気の光子を作る。
電子の中で、磁気の光子は１０１６個束になって１０−３７Ｊの磁気の光子になり、磁気の光子の軌道を回転しているので、磁気の光子の軌道エネルギーは、磁気の光子１０１６個の軌道エネルギーです。
１０−４１Ｊ・ｍ÷軌道又はエネルギーの式は、磁気の光子１０８個の軌道エネルギーの式ですから、電子の中の、磁気の光子１０１６個の軌道エネルギーの式は、
１０−４１Ｊ・ｍ×１０８÷軌道又はエネルギー＝１０−３３Ｊ・ｍ÷軌道又はエネルギー  です。
電子の中で、電気の光子は１０８個束になり、Ｘ線１個と成って、電気の光子の軌道を回転している。
磁気の光子は１０１６個束になり、磁気の光子の軌道を回転している。電気の光子の軌道をクロス回転している。
２．どうして、電気の光子１０８個の軌道エネルギーの式が、１０−２５Ｊ・ｍ÷軌道又はエネルギー  となるか。プランク定数から導き出す。
Ｅ＝ｈ×振動数。振動数＝１秒間の振動数＝光速÷波長。
本発明者は、Ｅ＝定数÷軌道＝定数÷（波長÷２）として考えてきました。
それで、Ｅ＝定数÷（波長÷２）＝ｈ×光速÷波長
定数＝ｈ×光速÷２＝６．６２５×１０−３４Ｊ×３×１０８ｍ÷２＝９．９３７５×１０−２６Ｊ・ｍ≒１０−２５Ｊ・ｍ
定数は１０−２５Ｊ・ｍです。
よって、電気の光子１０８個（＝Ｘ線１個）の軌道エネルギーの式はＥ＝ｈ×振動数と同じことです。
Ｅ＝ｈ×振動数  のＥ＝エネルギーは電気の光子１０８個のエネルギーです。振動数は電気の光子の振動数です。ｈは電気の光子１０８個に対する定数です。
３．電気の光子１０８個（Ｘ線）の軌道エネルギーと電気の光子１０８個の数。
電気の光子が回転する軌道のエネルギーを式により算出し、このエネルギーは１秒間に、１０８個集まってできた８×１０−３０Ｊの電気の光子（Ｘ線）が何個分のエネルギーであるかを算出する。
例えば、１０−１２ｍの軌道では、軌道エネルギーは、
１０−２５Ｊ・ｍ÷１０−１２ｍ＝１０−１３Ｊです。
１０−１３Ｊは８×１０−３０Ｊの電気の光子が何個分か。
１０−１３Ｊ÷（８×１０−３０Ｊ）＝１．２５×１０１６個分です。
１０−１２ｍでは、１．２５×１０１６個分です。
１０−１１ｍでは、１．２５×１０１５個分です。
１０−１０ｍでは、１．２５×１０１４個分です。
１０−９ｍでは、１．２５×１０１３個分です。
１０−８ｍでは、１．２５×１０１２個分です。
電子の中では、実際このようになってはいない。
実際の、軌道と軌道に於けるＸ線の数は、特性Ｘ線の波長とＸ線の強度です。
それを、「請求項６」「請求項７」［請求項８」「請求項９」に記す。
４．磁気の光子１０１６個の軌道エネルギーと磁気の光子１０１６個の数。
磁気の光子が回転する軌道のエネルギーを式により算出し、このエネルギーは１秒間に、１０１６個集まってできた１０−３７Ｊの磁気の光子が何個分のエネルギーであるかを算出する。
例えば、１０−１２ｍの軌道では、軌道エネルギーは、
１０−３３Ｊ・ｍ÷１０−１２ｍ＝１０−２１Ｊです。
１０−２１Ｊは１０−３７Ｊの磁気の光子が何個分か。
１０−２１Ｊ÷１０−３７Ｊ＝１０１６個分です。
１０−１２ｍでは、１０１６個分です。
１０−１１ｍでは、１０１５個分です。
１０−１０ｍでは、１０１４個分です。
１０−９ｍでは、１０１３個分です。
１０−８ｍでは、１０１２個分です。
電子の中では、実際このようになってはいない。
実際どのようになっているのかは、軌道と軌道に於ける磁気の光子の数は、特性Ｘ線の軌道と強度に順ずる。即ち、電気の光子（Ｘ線）の軌道と数に同じです。
５．電子の中で、各々の軌道に於いて、１秒間に、Ｘ線は何回転するか。１秒間に１０１６個の磁気の光子は何回転するか。
本発明者は、２００４年１２月２１日提出した特願２００４−３８２７４３において、
電子のラブの１秒間の公転速度は３．９２５×１０４ｍである事を理解できた。
それで、電子の中で、光子たちは、秒速３．９２５×１０４ｍで回転する。
電子の中の光速を３．９２５×１０４ｍとする。
電気の光子の場合。
１０−１２ｍの軌道では、１秒間に何回転するか。
３．９２５×１０４ｍ÷（３．１４×１０−１２ｍ）＝１．２５×１０１６回回転する。
「請求項３」で、１０−１２ｍの軌道エネルギーは、１秒間に、８×１０−３０Ｊの電気の光子（Ｘ線）が１．２５×１０１６個分である事が理解できた。
それで、１０−１２ｍの軌道を１回転するとき、１個のＸ線がそこに存在します。
これは、電子のラブが１回公転し、１個のＸ線を作るからです。
磁気の光子の場合。
磁気の光子は１秒間に何回自転するか。
電子のラブの自転軌道は１０−２８ｍですから、１秒間に、
３．９２５×１０４ｍ÷（３．１４×１０−２８ｍ）＝１．２５×１０３２回回転する。
「請求項４」で、１０−１２ｍの軌道エネルギーは、１秒間に、１０１６の磁気の光子が１０１６個分である事が理解できた。
１０１６個×１０１６個＝１０３２個
１０−１２ｍの軌道には、１秒間にできた１０１６個×１０１６個＝１０３２個の磁気の光子が存在する。
１０−１２ｍの軌道は、１秒間に１．２５×１０１６回回転する。
そして、１秒間に１０１６個の磁気の光子が１０１６個存在するから、１回転では約１０１６個の磁気の光子が１個存在する。
１０８個の電気の光子と１０１６個の磁気の光子は、
１０−１２ｍでは、１秒間に１．２５×１０１６回回転する。
１０−１１ｍでは、１秒間に１．２５×１０１５回回転する。
１０−１０ｍでは、１秒間に１．２５×１０１４回回転する。
１０−９ｍでは、１秒間に１．２５×１０１３回回転する。
１０−８ｍでは、１秒間に１．２５×１０１２回回転する。
６．実際、電子の中で、１０８個の電気の光子（Ｘ線）はどのようになっているか。
「特性Ｘ線の波長」によって、放出した電気の光子の軌道がわかる。
「特性Ｘ線とその近似的強度比」によって、放出したＸ線の数の比がわかる。
軌道は波長÷２です。
Ｘ線の個数の比は、Ｌ系α１はα２の１０倍です。
このことによって、Ｘ線の軌道と軌道エネルギーの比が理解できる。
例えば、Ｚｒ（４０）の場合。
Ｌ系α１は０．６０７０×１０−９ｍで、軌道は０．３０３５×１０−９ｍです。
α２は０．６０７７×１０−９ｍで、軌道は０．３０３８５×１０−９ｍです。
この軌道差は、０．３０３８５×１０−９ｍ−０．３０３５×１０−９ｍ＝３．５×１０−１３ｍです。
軌道が３．５×１０−１３ｍ大きくなると、エネルギーは１／１０になる。
０．３０３５×１０−９ｍのＸ線の軌道エネルギーは、
１０−２５Ｊ・ｍ÷（０．３０３５×１０−９ｍ）＝３．２９４８９２９×１０−１６Ｊです。
０．３０３８５×１０−９ｍのＸ線の軌道エネルギーは、
１０−２５Ｊ・ｍ÷（０．３０３８５×１０−９ｍ）＝３．２９１０９７５×１０−１６Ｊです。
このエネルギーの差は、
３．２９４８９２９×１０−１６Ｊ−３．２９１０９７５×１０−１６Ｊ＝０．００３７９５４×１０−１６Ｊです。
このエネルギー差はα１のエネルギーの
０．００３７９５４×１０−１６Ｊ÷（３．２９４８９２９×１０−１６Ｊ）＝０．００１１５１９倍です。
それで、α１とα２のエネルギーはほぼ同じであるとみなすことができる。（軌道がほぼ同じだから同じエネルギーであるとみなすことができる。）
よって、α１とα２の強度比はＸ線の個数の比であるとみなすことができる。
次にα２とα１の軌道差を示す。
2005269895.tif 000003
軌道が約５×１０−１３ｍの違いで、エネルギーは１／１０になる。Ｘ線の個数は１／１０になる。
７．実際、電子の中で、電気の光子１０８個（Ｘ線）の軌道に於ける電気の光子１０８個（Ｘ線）の数はどれくらいか。
軌道は約５×１０−１３ｍの違い（差）で、エネルギーは１／１０になる。Ｘ線は１／１０個になる。
１０−１２ｍの軌道で、１秒間に回転するＸ線の数は１．２５×１０１６個です。
１０−１１ｍでは何個か。
１÷｛軌道差÷（５×１０−１３ｍ）×１０｝倍です。
１０−１１ｍでは何個か。
１．２５×１０１６個×１÷｛（１０−１１ｍ−１０−１２ｍ）÷（５×１０−１３ｍ）×１０｝＝１．２５×１０１６個×１÷｛（１０−１１＋１３）−（１０−１２＋１３）｝÷２＝０．６２５×１０１６個÷（１００−１０）＝６．９４４×１０１３個です。
１０−１０ｍでは何個か。
６．９４４×１０１３個×１÷｛（１０−１０ｍ−１０−１１ｍ）÷（５×１０−１３ｍ）×１０｝＝６．９４４×１０１３個×１÷２｛（１０−１０＋１３）−（１０−１１＋１３）｝＝３．４７２×１０１３個÷（１０００−１００）＝３．８５７７×１０１０個です。
１０−９ｍでは何個か。
３．８５７７×１０１０個×１÷｛（１０−９ｍ−１０−１０ｍ）÷（５×１０−１３ｍ）×１０｝＝３．８５７７×１０１０個×１÷２｛（１０−９＋１３）−（１０−１０＋１３）｝＝１．９２８８５×１０１０個÷（１００００−１０００）＝２．１４３×１０６個です。
１０−８ｍでは何個か。
２．１４３×１０６個×１÷｛（１０−８ｍ−１０−９ｍ）÷（５×１０−１３ｍ）×１０｝＝２．１４３×１０６個×１÷２｛（１０−８＋１３ｍ）−（１０−９＋１３）｝＝１．０７１５×１０６個÷（１０００００−１００００）＝１１．９個です。
８．実際、電子の中において、電気の光子の軌道エネルギーはどれ位か。（図１）
電子の中で、
１０−１２ｍの軌道では、１秒間に、Ｘ線は１．２５×１０１６個です。
１０−１１ｍの軌道では、１秒間に、Ｘ線は６．９４４×１０１３個です。
１０−１０ｍの軌道では、１秒間に、Ｘ線は３．８５７７×１０１０個です。
１０−９ｍの軌道では、１秒間に、Ｘ線は２．１４３×１０６個です。
１０−８ｍの軌道では、１秒間に、Ｘ線は１１．９個です。
それで、電子の中の、Ｘ線１個は８×１０−３０Ｊですから、軌道エネルギーは、
１０−１２ｍの軌道では、１．２５×１０１６個×８×１０−３０Ｊ＝１０−１３Ｊです。
１．２５×１０−１２ｍの軌道では、１０１６個×８×１０−３０Ｊ＝８×１０−１４Ｊです。
１０−１１ｍの軌道では、６．９４４×１０１３個×８×１０−３０Ｊ＝５．５５５×１０−１６Ｊです。
１０−１０ｍの軌道では、３．８５７７×１０１０個×８×１０−３０Ｊ＝３．０８６×１０−１９Ｊです。
１０−９ｍの軌道では、２．１４３×１０６個×８×１０−３０Ｊ＝１．７１４×１０−２３Ｊです。
１０ｍ−８の軌道では、１１．９個×８×１０−３０Ｊ＝９．５２×１０−２９Ｊです。
2005269895.tif 000004
電子の中で、電気の光子の軌道エネルギーは、電子のラブの公転から離れる程、外側になる程、電気の光子の数は減少し、軌道エネルギーは小さくなる。
９．実際、電子の中において、磁気の光子の軌道エネルギーはどれ位か。（図１）
「請求項３」と「請求項４」から、同じ軌道では、１０１６個の磁気の光子の数と１０８個の電気の光子の数はほぼ同じである。
電子の中で、
１０−１２ｍの軌道では、１秒間に、１０１６個の磁気の光子は１．２５×１０１６個です。
１０−１１ｍの軌道では、１秒間に、１０１６個の磁気の光子は６．９４４×１０１３個です。
１０−１０ｍの軌道では、１秒間に、１０１６個の磁気の光子は３．８５７７×１０１０個です。
１０−９ｍの軌道では、１秒間に、１０１６個の磁気の光子は２．１４３×１０６個です。
１０−８ｍの軌道では、１秒間に、１０１６個の磁気の光子は１１．９個です。
それで、電子の中の、１０１６個の磁気の光子は１０−３７Ｊですから、磁気の光子の軌道エネルギーは、
１０−１２ｍの軌道では、１．２５×１０１６個×１０−３７Ｊ＝１．２５×１０−２１Ｊです。
１０−１１ｍの軌道では、６．９４４×１０１３個×１０−３７Ｊ＝６．９４４×１０−２４Ｊです。
１０−１０ｍの軌道では、３．８５７７×ｌ０１０個×１０−３７Ｊ＝３．８５７７×１０−２７Ｊです。
１０−９ｍの軌道では、２．１４３×１０６個×１０−３７Ｊ＝２．１４３×１０−３１Ｊです。
１０ｍ−８の軌道では、１１．９個×１０−３７Ｊ＝１．１９×１０−３６Ｊです。
2005269895.tif 000005
電子の中で、磁気の光子の軌道が大きくなる程、磁気の光子の数は減少し、軌道エネルギーは小さくなる。
１０．電子のラブが外側の殻から内側の殻へ移動するとき光子が放出する。この光子はどのような光子か。（図２）
１個の、電子のラブは外側の軌道の光子を放出し、より小さなものとなって内側の殻へ移動します。
例えば、１０ｎｍの殻から１つ内側の殻へ移動する場合。
１０ｎｍの殻にいるとき、電子のラブの外側の光子は１０−１０ｍです。
この１０−１０ｍの光子を放出して、電子のラブは１つ内側の殻へ移動します。
放出した１０−１０ｍの軌道の光子は、１秒間に８×１０−３０Ｊの電気の光子（Ｘ線）が３．８５７７×１０１０個と、１０−３７Ｊの磁気の光子が３．８５７７×１０１０個放出します
１秒間に放出する光子のエネルギーはどれくらいか。
８×１０−３０Ｊの電気の光子が３．８５７７×１０１０個ですから、
放出する電気の光子のエネルギーは、８×１０−３０Ｊ×３．８５７７×１０１０個＝３．０８６×１０−１９Ｊです。
１０−３７Ｊの磁気の光子が３．８５７７×１０１０個ですから、
放出する磁気の光子のエネルギーは、１０−３７Ｊ×３．８５７７×１０１０個＝３．８５７７×１０−２７Ｊです。
１１．１個の電気の光子の軌道エネルギーの式はどれ位か。
１０８個の電気の光子の軌道エネルギーの式は、１０−２５Ｊ・ｍ÷軌道又はエネルギー  ですから、
１個の電気の光子の軌道エネルギーの式は、
１０−２５Ｊ・ｍ÷１０８÷軌道又はエネルギー＝１０−３３Ｊ・ｍ÷軌道又はエネルギー  です。
１２．１個の磁気の光子の軌道エネルギーの式はどれ位か。
１０１６個の磁気の光子の軌道エネルギーの式は、１０−３３Ｊ・ｍ÷軌道又はエネルギー  ですから、
１個の磁気の光子の軌道エネルギーの式は、
１０−３３Ｊ・ｍ÷１０１６÷軌道又はエネルギー＝１０−４９Ｊ・ｍ÷軌道又はエネルギー  です。
１３．電子のラブが１公転してできる電気の光子１０８（Ｘ線）の８×１０−３０Ｊの軌道はどれだけか。電気の光子１個の８×１０−３８Ｊの軌道はどれだけか。
電気の光子８×１０−３８Ｊの軌道と、それが１０８個集まった電気の光子（Ｘ線）８×１０−３０Ｊの軌道は同じです。
それは、電子のラブが１公転してできる電気の光子であるからです。
電気の光子は１秒間にどれだけできるか。
１回転で電気の光子は８×１０−３０Ｊできる。
電子のラブの公転速度は３．９２５×１０４ｍですから、１秒間に何回公転するか。
３．９２５×１０４ｍ÷（３．１４×１．２５×１０−１２ｍ）＝１０１６回公転する。
それで、電気の光子は１秒間に、
１０１６回転×８×１０−３０Ｊ＝８×１０−１４Ｊできます。
この軌道は、
電気の光子１０８個（Ｘ線）の軌道エネルギー式は、１０−２５Ｊ・ｍ÷軌道又はエネルギーですから、
１０−２５Ｊ・ｍ÷（８×１０−１４Ｊ）＝１．２５×１０−１２ｍです。
電気の光子１０８個（Ｘ線）の８×１０−３０Ｊの軌道は１．２５×１０−１２ｍです。
電気の光子１個である８×１０−３８Ｊの軌道は１．２５×１０−１２ｍです。
この事は次のように考えます。
１秒間のエネルギーは、
１０１６回転×８×１０−３８Ｊ＝８×１０−２２Ｊです。
この軌道は、
電気の光子１個の軌道エネルギーの式は、１０−３３Ｊ・ｍ÷軌道又はエネルギーですから、
１０−３３Ｊ・ｍ÷（８×１０−２２Ｊ）＝１．２５×１０−１２ｍです。
１４．磁気の光子１０−５３Ｊの磁気の光子の軌道はどれ位か。磁気の光子が１０１６個集まった１０−３７Ｊの磁気の光子の軌道はどれくらいか。
電子のラブの自転によってできる磁気の光子のエネルギーは、電子のラブの公転によってできる電気の光子のエネルギーの１０８分の１です。
磁気の光子は１秒間に、８×１０−１４Ｊ÷１０８＝８×１０−２２Ｊできる。
磁気の光子の軌道は、
１０−４９Ｊ・ｍ÷（８×１０−２２Ｊ）＝１．２５×１０−２８ｍです。
電子の中で、磁気の光子は１０１６個束になっているので、磁気の光子１個の軌道と、磁気の光子１０１６個の軌道は同じです。
磁気の光子１個のエネルギーは１０−５３Ｊです。
磁気の光子の軌道は１．２５×１０−２８ｍですから、１秒間で何回転するか。
３．９２５×１０４ｍ÷（３．１４×１．２５×１０−２８ｍ）＝１０３２回転する。
１回の自転でできる磁気の光子のエネルギーは１０−５３Ｊですから、１秒間にできるエネルギーは、
１０３２回転×１０−５３Ｊ＝１０−２１Ｊです。
この軌道は、
１０−４９Ｊ・ｍ÷１０−２１Ｊ＝１０−２８ｍです。
磁気の光子１０１６個のエネルギーは、１０−３７Ｊです。
１秒間にできるエネルギーは、
１０−３７Ｊ×１０３２回＝１０−５Ｊです。
この軌道は、
１０−３３Ｊ・ｍ÷１０−５Ｊ＝１０−２８ｍです。
磁気の光子１０１６個の軌道と、磁気の光子１個の軌道は同じ大きさで、１０−２８ｍです。
１５．電子のラブの公転軌道エネルギーの式はどのようであるか。
電子のラブの公転軌道エネルギーの式は、１０−２５Ｊ・ｍ÷エネルギー軌道又はエネルギーです。
それで、電気の光子が８×１０−１４Ｊできる電子のラブの軌道は、
１０−２５Ｊ・ｍ÷（８×１０−１４Ｊ）＝１．２５×１０−１２ｍです。
１６．電子のラブの自転軌道エネルギーの式はどのようであるか。（図３）
電子のラブの自転によってできる磁気の光子のエネルギーは、電子のラブの公転によってできる電気の光子のエネルギーの１０８分の１です。
磁気の光子は１秒間に、８×１０−１４Ｊ÷１０８＝８×１０−２２Ｊできる。
磁気の光子の軌道は、
１０−４９Ｊ・ｍ÷（８×１０−２２Ｊ）＝１．２５×１０−２８ｍです。
電子のラブの自転の軌道は、
１０−４９Ｊ・ｍ÷（８×１０−２２Ｊ）＝１．２５×１０−２８ｍです。
電子のラブの自転の軌道エネルギーの式は、
１０−４９Ｊ・ｍ÷軌道又はエネルギー  です。
この事は、電子のラブの自転エネルギーの式と磁気の光子の軌道エネルギーの式と同じであるということです。
この事は、電子のラブの自転する回転方向は公転に対し垂直に自転している。
磁気の光子と同じ軌道を自転していることを示す。
電気の光子の回転方向と逆方向に自転している。
１７．可視光の電気の光子１０８個のエネルギーはどれ位か。可視光の磁気の光子１０１６個のエネルギーはどれ位か。
可視光の波長は約３×１０−７ｍから７×１０−７ｍです。軌道は１．５×１０−７ｍから３．５×１０−７ｍです。
可視光はＸ線と同じように、電気の光子が１０８個束になったものです。磁気の光子が１０１６個束になったものです。
そして、可視光線は物にぶつかった後、束は分散し、１個の電気の光子、１個の磁気の光子になります。
１．５×１０−７ｍの電気の光子１０８個のエネルギーは、
１０−２５Ｊ・ｍ÷（１．５×１０−７ｍ）＝６．６７×１０−１９Ｊです。
１．５×１０−７ｍの電気の光子１個のエネルギーは、
１０−３３Ｊ・ｍ÷（１．５×１０−７ｍ）＝６．６７×１０−２７Ｊです。
３×１０−７７ｍの電気の光子１０８個のエネルギーは、
１０−２５Ｊ・ｍ÷（３．５×１０−７ｍ）＝２．８６×１０−１９Ｊです。
３×１０−７ｍの電気の光子１個のエネルギーは、
１０−３３Ｊ・ｍ÷（３．５×１０−７ｍ）＝２．８６×１０−２７Ｊです。
１．５×１０−７ｍの磁気の光子１０１６個のエネルギーは、
１０−３３Ｊ・ｍ÷（１．５×１０−７ｍ）＝６．６７×１０−２７Ｊです。
１．５×１０−７ｍの磁気の光子１個のエネルギーは、
１０−４９Ｊ・ｍ÷（１．５×１０−７ｍ）＝６．６７×１０−４３Ｊです。
３．５×１０−７ｍの磁気の光子１０１６個のエネルギーは、
１０−３３Ｊ・ｍ÷（３．５×１０−７ｍ）＝２．８６×１０−２７Ｊです。
３．５×１０−７ｍの磁気の光子１個のエネルギーは、
１０−４９Ｊ・ｍ÷（３．５×１０−７ｍ）＝２．８６×１０−４３Ｊです。
１８．宇宙における電子のラブが１公転する事によってできる電気の光子１個のエネルギーと１０８個のエネルギー。電気の光子の軌道エネルギーの式はどのようであるか。
宇宙の軌道における電子のラブが１自転することによってできる磁気の光子１個のエネルギーと１０１６個の磁気の光子のエネルギー。磁気の光子の軌道エネルギーの式はどのようであるか。
光子のエネルギーは、５Ｋ＝５×１．１２×１０９ｍ走ると１／１０に成ります。このことについて、本発明者は、特願２００４−２４７５７４に記しました。
地球と宇宙の軌道の距離をＡｍとします。
宇宙の軌道において、電子のラブが１公転する事によってできる電気の光子１個のエネルギーはどれだけか。
Ａｍ÷（５×１．１２×１０９ｍ）×１０×８×１０−３８Ｊ＝Ａ×１．４２９×１０−４６Ｊです。
１０８個の電気の光子のエネルギーはどれだけか。
Ａ×１．４２９×１０−４６Ｊ×１０８＝Ａ×１．４２９×１０−３８Ｊです。
電気の光子１個の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
電気の光子１０８個の軌道エネルギーの式は、
Ａｍ÷（５×１．１２×１０９ｍ）×１０×１０−２５Ｊ・ａｍ÷軌道又はエネルギー＝Ａ×１．７８６×１０−３４Ｊ・ｍ÷軌道又はエネルギー  です。
宇宙の軌道において、電子のラブが１自転する事によってできる磁気の光子１個のエネルギーはどれだけか。
Ａｍ÷（５×１．１２×１０９ｍ）×１０×１０−５３Ｊ＝Ａ×１．７８６×１０−６２Ｊです。
磁気の光子１０１６個のネルギーは、
Ａ×１．７８６×１０−６２Ｊ×１０１６＝Ａ×１．７８６×１０−４６Ｊです。
磁気の光子１０１６個の軌道エネルギーの式は、
Ａｍ÷（５×１．１２×１０９ｍ）×１０×１０−３３Ｊ・ｍ÷軌道又はエネルギー＝Ａ×１．７８６×１０−４２Ｊ・ｍ÷軌道又はエネルギー  です。
【発明の効果】
【０００６】特性Ｘ線と強度比から、電子の中は、約５×１０−１３ｍの軌道差で、エネルギーは１／１０になる。このことから、電子の中の、電気の光子の軌道に存在するＸ線の数と軌道エネルギーが理解できた。
電子の中の、磁気の光子の軌道に存在する１０１６個の磁気の光子の数と、軌道エネルギーが理解できた。
電子のラブの自転軌道エネルギーの式によって、電子のラブは、磁気の光子の軌道と同じ軌道を回転していることが理解できた。電子のラブの自転は、公転に垂直に、かつ、磁気の光子の回転方向と逆の方向に回転することが理解できた。
【図面の簡単な説明】
【図１】電子の中の、電気の光子の軌道エネルギーと磁気の光子の軌道エネルギーを示す。
【図２】電子が１つ内側の殻へ移動する時、放出する外側の光子の軌道が１０−１０ｍの場合、放出する１０８個の電気の光子の数は３．８５７７×１０１０個で、エネルギーは３．０８６×１０−１９Ｊです。１０１６個の磁気の光子の数は３．８５７７×１０１０個で、エネルギーは３．８５７７×１０−２７Ｊです。
【図３】電子のラブの自転軌道は磁気の光子の軌道です。電子のラブの公転に垂直に自転する。電子のラブの自転方向は、磁気の光子の回転方向と逆である。
【符号の説明】
１  電子のラブ    ２  電気の光子の軌道    ３  電気の光子の軌道エネルギー
４  磁気の光子の軌道    ５  磁気の光子の軌道エネルギー
６  内側の殻    ７  外側の殻    ８  電子のラブの外側の光子（軌道は１０−１０ｍ）
９  放出した１０−１０ｍの軌道の電気の光子
１０  放出した１０−１０ｍの軌道の磁気の光子    １１  電子のラブの公転方向
１２  電気の光子の回転方向    １３  電子のラブの自転方向
１４  磁気の光子の回転方向
【図１】
2005269895.tif 000009
【図２】
2005269895.tif 000010
【図３】
2005269895.tif 000011